(57)【要約】【課題】大気への水蒸気放散がなく、白金などの触媒を用いることなく、臭いが抑制でき、かつ省エネルギー化がはかれる生ゴミ乾燥処理装置を提供することを目的とする。【解決手段】生ゴミ乾燥処理部８と、貯水タンク１１と、送風手段１５とを送風循環通路１６Ａ〜１６Ｃにより循環状に連通し、送風循環通路１６Ｂはその空気送り込み側を貯水タンク１１内の水中に開放して臨ませるとともに送風循環通路１６Ｃの空気吸込み側を貯水タンク１１内に臨ませ、貯水タンク１１は水位を一定に保持する配水管１３と、送風循環通路１６Ｂの空気送り込み側が臨む水中の開放部の上方位置に開放設置した排水通路１４とを有し、配水管１３と排水通路１４はともに下水管７に接続したものである。これによって、空気を循環させることで大気への水蒸気放散がなく、白金などの触媒を用いることなく、臭いが抑制でき、かつ省エネルギー化がはかれるものである。【選択図】図１
2009028621.tif 000002
【特許請求の範囲】
【請求項１】
生ゴミを乾燥処理する生ゴミ乾燥処理部と、水を貯留した貯水タンクと、生ゴミ乾燥処理部と貯水タンクとを循環する空気の流れを形成する送風手段と、これら生ゴミ乾燥処理部、貯水タンクおよび送風手段を循環状に連通した送風循環通路とを備え、送風循環通路はその空気送り込み側を貯水タンク内の水中に開放して臨ませるとともに空気吸込み側を貯水タンク内の上方の空間部に開放して臨ませ、貯水タンクは貯留した水の水位を一定に保持する配水管と、送風循環通路の空気送り込み側が臨む水中の開放部の上方位置に開放設置した排水通路とを有し、配水管と排水通路はともに下水管に接続した生ゴミ乾燥処理装置。
【請求項２】
貯水タンクに開放設置した排水通路の上方を覆って仕切り体を設けた請求項１に記載の生ゴミ乾燥処理装置。
【請求項３】
仕切り体は、排水通路の開放部上方および周側を覆うように構成した請求項２に記載の生ゴミ乾燥処理装置。
【請求項４】
排水通路には、この通路を開閉する開閉弁を設けた請求項１〜３のいずれか１項に記載の生ゴミ乾燥処理装置。
【請求項５】
貯水タンクには、給水開閉弁を介して水道と接続した給水通路を接続した請求項１〜４のいずれか１項に記載の生ゴミ乾燥処理装置。
【発明の詳細な説明】
【技術分野】
【０００１】
本発明は、主に家庭で発生する生ゴミを乾燥させ、減量および減容させる生ゴミ乾燥処理装置に関するものである。
【背景技術】
【０００２】
従来、この種の生ゴミ乾燥処理装置として、生ゴミに含まれる水分の分離は、生ゴミをヒータにより１００℃以上に加熱して水蒸気とし気化させているもの（例えば、特許文献１参照）、あるいは発生した水蒸気を空冷式熱交換器で凝縮させるもの（例えば、特許文献２参照）などが知られている。
【特許文献１】特許第３００６３６５号公報
【特許文献２】特開平５−９６２７１号公報
【発明の開示】
【発明が解決しようとする課題】
【０００３】
しかしながら、前記従来の構成では、いずれも発生した水蒸気を外気に放出する必要があるため、脱臭処理に白金などの触媒を用い高価となるばかりでなく、反応活性を保つためにエネルギーを多く使用するという課題があった。
【０００４】
本発明は、前記従来の課題を解決するもので、大気への水蒸気放散がなく、白金などの触媒を用いることなく、臭いが抑制でき、かつ省エネルギー化がはかれる生ゴミ乾燥処理装置を提供することを目的とするものである。
【課題を解決するための手段】
【０００５】
前記従来の課題を解決するために、本発明の生ゴミ乾燥処理装置は、生ゴミを乾燥処理する生ゴミ乾燥処理部と、水を貯留した貯水タンクと、生ゴミ乾燥処理部と貯水タンクとを循環する空気の流れを形成する送風手段と、これら生ゴミ乾燥処理部、貯水タンクおよび送風手段を循環状に連通した送風循環通路とを備え、送風循環通路はその空気送り込み側を貯水タンク内の水中に開放して臨ませるとともに空気吸込み側を貯水タンク内の上方の空間部に開放して臨ませ、貯水タンクは貯留した水の水位を一定に保持する配水管と、送風循環通路の空気送り込み側が臨む水中の開放部の上方位置に開放設置した排水通路とを有し、配水管と排水通路はともに下水管に接続したものである。
【０００６】
これによって、貯水タンクの水と高温の生ゴミ乾燥処理部とを空気循環させその飽和蒸気圧の差で生ゴミを乾燥処理できるとともに、生ゴミの臭いを貯水タンクの水にバブリングにより溶かし、非水溶性の臭いは下水へ排出することができる。したがって、大気への水蒸気放散がなく、白金などの触媒を用いることなく、臭いが抑制でき、かつ省エネルギー化がはかれるものである。
【発明の効果】
【０００７】
本発明の生ゴミ乾燥処理装置は、大気への水蒸気放散がなく、白金などの触媒を用いることなく、臭いが抑制でき、かつ省エネルギー化がはかれる。
【発明を実施するための最良の形態】
【０００８】
第１の発明は、生ゴミを乾燥処理する生ゴミ乾燥処理部と、水を貯留した貯水タンクと、生ゴミ乾燥処理部と貯水タンクとを循環する空気の流れを形成する送風手段と、これら生ゴミ乾燥処理部、貯水タンクおよび送風手段を循環状に連通した送風循環通路とを備え、送風循環通路はその空気送り込み側を貯水タンク内の水中に開放して臨ませるとともに空気吸込み側を貯水タンク内の上方の空間部に開放して臨ませ、貯水タンクは貯留した水の水位を一定に保持する配水管と、送風循環通路の空気送り込み側が臨む水中の開放部の上方位置に開放設置した排水通路とを有し、配水管と排水通路はともに下水管に接続した生ゴミ乾燥処理装置とするものである。これによって、貯水タンクの水と高温の生ゴミ乾燥処理部とを空気循環させその飽和蒸気圧の差で生ゴミを乾燥処理できるとともに、生ゴミの臭いを貯水タンクの水にバブリングにより溶かし、非水溶性の臭いは下水へ排出することができる。したがって、大気への水蒸気放散がなく、白金などの触媒を用いることなく、臭いが抑制でき、かつ省エネルギー化がはかれるものである。
【０００９】
第２の発明は、特に、第１の発明において、貯水タンクに開放設置した排水通路の上方を覆って仕切り体を設けたことにより、循環空気を排水通路からより多く排出でき、生ゴミ乾燥処理部内の臭いをさらに低減させ、生ゴミの乾燥減量を終了して、生ゴミ乾燥処理部から生ゴミを取り出す時も、臭いが少なく快適に作業ができ、臭いを拡散せず、換気などの手間も要らなくなる効果がある。
【００１０】
第３の発明は、特に、第２の発明において、仕切り体は、排水通路の開放部上方および周側を覆うように構成したことにより、送風循環通路の空気送り込み側から気泡となって上昇した空気は、仕切り体内に溜まり、その後、排水通路から出て行く水流に引っ張られて下水と流れる。このため、排水通路の流れは、最初に溜まった空気が流れ逐次貯水タンクの水を巻き込む流れとできるため、送風循環通路からの空気は洩れなく全て排水通路から下水に排出することが可能となり、生ゴミ乾燥処理部内の空気中に含まれる臭いはより早く低減でき、かつ低濃度にできる。
【００１１】
第４の発明は、特に、第１〜第３のいずれか１つの発明において、排水通路には、この通路を開閉する開閉弁を設けたことにより、排水量を制限して節水を可能とするものである。すなわち、排水通路から循環している空気を併せて排出するためにはある程度の流量が必要となる。そのため、常に排水通路を開放していると貯水タンクの水が大量に下水へと流れ、大量の水を補給する必要がある。そこで、開閉弁により短時間毎に排水通路からの排水することにより、循環する空気の排出をしながら節水が可能となり、節水による環境性が向上する。
【００１２】
第５の発明は、特に、第１〜第４のいずれか１つの発明において、貯水タンクには、給水開閉弁を介して水道と接続した給水通路を接続したことにより、貯水タンクの水の温度を常に低温とし、生ゴミの水分処理を確実に行い性能向上が可能となる。すなわち、生ゴミ乾燥処理部の空気の飽和蒸気圧と貯水タンクの飽和蒸気圧との飽和蒸気圧差で生ゴミを乾燥処理できるため、生ゴミの乾燥能力は飽和蒸気圧の相関する温度差に影響を受ける。生ゴミ乾燥処理部の空気を冷却することで貯水タンクの温度が上昇すると、生ゴミ乾燥処理部の空気の飽和蒸気圧と貯水タンクの空気の飽和蒸気圧との飽和蒸気圧差が小さくなり、生ゴミの乾燥時間が長くなる。この時、給水通路から給水開閉弁を介して給水を行うと、貯水タンクには新たな水が入り、貯水タンクの水の温度は低下がる。よって、貯水タンクの温度を常に低温とし、生ゴミの水分処理を確実に行い性能向上が可能となる。
【００１３】
以下、本発明の実施の形態について、図面を参照しながら説明する。なお、この実施の形態によって本発明が限定されるものではない。
【００１４】
（実施の形態１）
図１は、本発明の実施の形態１における生ゴミ乾燥処理装置として、台所に設置して使用する場合を例示している。
【００１５】
図に示すように、本実施の形態における生ゴミ乾燥処理装置は、台所に設置されているキッチンのシンク１の排水口２に生ゴミを粉砕するディスポーザ３の入口を取り付け、このディスポーザ３の出口には固液分離機４を接続してある。固液分離機４には、固液分離された生ゴミの固体分は生ゴミ処理容器５と、液体分は分離排水管６にそれぞれ接続し、分離排水管６は、他方を下水管７に接続してある。ディスポーザ３は電動モータを内装しこれを動力源として高速でカッタを回転させて生ゴミを粉砕小粒化し水と一緒に流し去るものである。また、固液分離機４は、この水と粉砕された生ゴミを網、スリットなどのフィルタを用いて遠心力、圧送などにより固形分と水分を分けるものである。なお、シンク１には対向して水道栓１９が装備されている。
【００１６】
また、前記した生ゴミ処理容器５を有し、生ゴミを乾燥処理する生ゴミ乾燥処理部８を備えており、これは、生ゴミ処理容器５に加え、生ゴミ処理容器５内部の生ゴミをかき混ぜる攪拌機９と、生ゴミ処理容器５底部に設けた加熱手段であるヒータ１０とを有している。ヒータ１０は一般的なシーズヒータ、マイカヒータを用い一定の温度調節を行ってもよいがＰＴＣヒータを用いて自動調節を行ってもよい。
【００１７】
また、水を貯留した貯水タンク１１を備えており、これは、タンク１２と、貯留した水の水位を一定に保持する配水管１３と、排水通路１４とを有している。配水管１３は、一方を下水配管７へ接続し他方をタンク１２内に突出させトラップとして常にタンク１２に一定量の水が溜まるようにし、排水通路１４は、一方を下水配管７へ接続し他方をタンク１２内の水中に開口してある。
【００１８】
また、生ゴミ乾燥処理部８と貯水タンク１１とを循環する空気の流れを形成する送風手段１５と、これら生ゴミ乾燥処理部８、貯水タンク１１および送風手段１５を循環状に連通した送風循環通路１６Ａ、１６Ｂ、１６Ｃとを備えている。
【００１９】
そして、生ゴミ処理容器５と貯水タンク１１の間は、送風手段１５により空気が循環するものである。すなわち、生ゴミ処理容器５内の空気は、送風手段１５により送風循環通路１６Ａから送風手段１５に吸引され、次に送風手段１５から送風循環通路１６Ｂ、タンク１２、送風循環通路１６Ｃから再び生ゴミ処理容器５内へと送風手段１５により送風する循環経路を構成している。送風循環通路１６Ｂはその空気送り込み側を貯水タンク１１内の水中に開放して臨ませるとともに送風循環通路１６Ｃの空気吸込み側を貯水タンク１１内の上方の空間部に開放して臨ませてある。また、貯水タンク１１の排水通路１４は、送風循環通路１６Ｂの空気送り込み側が臨む水中の開放部の上方位置に開放設置している。
【００２０】
また、ヒータ１０と送風手段１５と攪拌機９は、電源制御部１７に電気的に配線しており、ここでこれらの電源を動作させる。電源制御部１７は、固液分離機４、生ゴミ処理容器５、貯水タンク１１などの温度情報を得ている。また、貯水タンク１１のタンク１２内には、タンク１２内に開放設置した排水通路１４の開放部の上方を覆って板状の仕切り体１８を設けている。
【００２１】
以上のように構成された生ゴミ乾燥処理装置について、以下その動作、作用を説明する。
【００２２】
まず、ディスポーザ３を作動し生ゴミを水道水を流しながらシンク１の排水口２から投入する。生ゴミは、ディスポーザ３で粉砕されて細かくして生ゴミの表面積を大きくした後、この生ゴミと水を混合して流動性を確保した状態で固液分離機４に流れる。そして、生ゴミは、固液分離機４により固体分が生ゴミ処理容器５に貯まり、他方、水は分離排水管６から下水管７に流れる。次に、電源制御部１７により、ヒータ１０を動作させて生ゴミ処理容器５の温度を上昇させると、内部の空気と生ゴミは加熱されて水分が生ゴミ処理容器５の空気に蒸発し飽和水蒸気圧に維持する。この時、空気が飽和水蒸気圧以下であると生ゴミに気化に必要な熱量を加えるだけで蒸発するため、水の沸騰温度以下でも十分に気化促進を行う。空気の飽和蒸気圧は温度が上昇すると急激に増加するため、生ゴミ処理容器５内の空気温度を上昇させると空気当りの水蒸気重量が大きく設定できる。
【００２３】
生ゴミは、水分が多く重量比で平均８０％であり、水分を取り除くと大幅に減量減容化が可能となる。また、生ゴミから水分を除去すると、腐敗の進むのを抑制でき臭気が少なく、肥料への有効利用がはかれる。また、ゴミ処理場での焼却時の温度低下によるダイオキシンの発生を抑制できるとともに、燃料の過大な使用を防止して環境面で有用である。また、貯水タンク１１のタンク１２に貯めた水は、室温に近く加熱された生ゴミ処理容器５より常に低温であり、タンク１２の水は熱容量が大きく比熱の小さい空気から熱を受けても大きく温度上昇はしない。
【００２４】
そして、生ゴミ処理容器５内の飽和に近い状態となった空気を、送風手段１５により送風循環通路１６Ａ、１６Ｂを通りタンク１２の水中に導くと、空気は気泡となり水中を上昇する過程で冷却されて飽和蒸気圧が小さくなり水分が結露する。タンク１２の水は、室温に近い低温であり、かつ熱容量の大きい水を用いるため、送風循環通路１６Ｂから送風された空気は、タンク１２の水温度に近くまで低温になる。結露し液化した水分は、タンク１２の水と一体となり、体積の増えた分は、逐次、配水管１３を通り下水管７へと廃棄することができる。貯水タンク１１により水分が除去され絶対湿度の小さくなった空気は、タンク１２の上方空間から送風循環通路１６Ｃを通り再び生ゴミ処理容器５に戻る。この循環を繰り返すことにより生ゴミの水分は生ゴミ処理容器５から貯水タンク１１に移動し、生ゴミは乾燥処理でき減量と減容を完了する。
【００２５】
そのため、ディスポーザ３で粉砕した生ゴミを固液分離機４により水分を除去した後、高温に加熱した生ゴミ処理容器５と貯水タンク１１を用いて冷却する空気の循環により、その飽和蒸気圧の差で生ゴミを乾燥処理することは、貯水タンク１１での冷却熱は全て水と熱交換して下水へと流れる。このため、機器周囲の大気への冷却熱の放散がなく、この装置を密閉した場所に収納して設置しても周囲温度を上昇させることがない。したがって、床置き設置だけでなく、新たに、キッチンビルトインにして設置性、利便性の向上が可能となる。
【００２６】
そして、空気を貯水タンク１１の水中にバブリングさせて水と生ゴミ処理容器５内の空気とを熱交換する冷却方式では、冷却用のファンを必要としないから電気を消費せず省エネルギー化が達成できる。
【００２７】
また、ディスポーザ３で粉砕した生ゴミを固液分離機４により水滴を除去した生ゴミは水分が少なく、かつ細粒化されて表面積が大きくなる。このため、生ゴミの水分は蒸発しやすく生ゴミ処理容器５内の空気は飽和水蒸気なっている。このため、貯水タンク１１と生ゴミ処理容器５との温度差が小さくても、飽和蒸気圧の差で生ゴミの乾燥処理が進む。このため、生ゴミの加熱温度は従来よりも低温化が可能であるため、生ゴミからの空気への臭い放散が少なくなり、特別な脱臭装置を必要としないため、臭いが外部に出ることがなく快適な空間となる。
【００２８】
すなわち、ディスポーザ３で粉砕した生ゴミを固液分離機４により水分を除去した生ゴミは水分が少なく、かつ細粒化されて表面積が大きくなり、生ゴミの水分は蒸発して生ゴミ処理容器５内の空気は飽和水蒸気なっている。このため、貯水タンク１１と生ゴミ処理容器５との温度差が小さくても空気を循環させると、飽和蒸気圧の差で生ゴミの乾燥処理が進む。空気の飽和蒸気圧は、空気の温度が上昇するに従って急激に増加し、大気圧で２０℃の時０．０１４６９ｋｇ／ｋｇ（水分量／空気）であるが、例えば７０℃の時は０．２６１６１ｋｇ／ｋｇであり１７．８倍になる。つまり、生ゴミを加熱して飽和状態とすると生ゴミ処理容器５の空気には０．２６１６１ｋｇ／ｋｇの水分が含まれ、これを貯水タンク１１では０．０１４６９ｋｇ／ｋｇしか空気中に残らず、残りは凝縮して液化し配水管１３より排水できる。
【００２９】
このように、生ゴミ処理容器５と貯水タンク１１との空気の飽和蒸気圧の差が小さくても生ゴミを乾燥処理できるため、生ゴミの加熱温度は従来よりも低温化が可能である。生ゴミから発生する臭いは生ゴミの温度が上昇すると大幅に増加するため、生ゴミの温度を低くすると、生ゴミからの空気への臭い放散が少なくできる。
【００３０】
さらに、トリメチルアミン、アンモニアなどの水溶性の臭い成分は、貯水タンク１１のタンク１２内の水中を気泡となってバブリングする時に水に溶け込み、適宜、配水管１３から下水管７に排出できる。また、ブチルメルカルプタンなどの非水溶性の臭い成分は、送風循環通路１６Ｂのタンク１２への空気送り込み側を開放した開放部から循環空気に混ざってタンク１２内に入り水中を気泡として上昇すると、上方の位置に設置した排水通路１４の排水流れに乗って排水通路１４から下水へと排出できる。そして、送風循環しているため、生ゴミ処理容器５内の空気中の非水溶性臭い成分は順次減少する。このため、特別な脱臭装置を必要とせず、脱臭触媒に必要な外気を遮断して動作が行え、臭いが外部に出ることがなく快適な空間となり、使用性能を向上させるとともに、装置全体をコンパクト化や簡素化をはかることができる。そして、生ゴミの加熱温度の低温化は、機器の放熱量を低下させ、加熱手段の消費エネルギーが小さくでき省エネルギーとなる。
【００３１】
また、貯水タンク１１のタンク１２の水中に設けた排水通路１４の上方を覆う形状の仕切り体１８を設けてあることにより、送風循環通路１６Ｂからタンク１２の水中に気泡となって噴出した空気は、水中を上昇しこの仕切り体１８にあたり、空気を排水通路１４からより多く排出でき、生ゴミ処理容器５内の臭いをさらに低減させ、生ゴミの乾燥減量を終了し、また、生ゴミ処理容器５から生ゴミを取り出す時も、臭いが少なく快適に作業ができ、台所内にも臭いを拡散しなく、換気などの手間も要らなくなる効果がある。
【００３２】
すなわち、生ゴミは生ゴミ処理容器５内で加熱されて臭い成分の水溶性のトリメチルアミン、アンモニアなどや、非水溶性のブチルメルカルプタンなどを生ゴミ処理容器５内の空気中に放散し、この臭いを含んだ空気は、生ゴミ処理容器５と貯水タンク１１と送風手段１５とを循環状に連通した送風循環通路１６Ａ、１６Ｂ、１６Ｃを繰り返し循環する。この空気は、貯水タンク１１内の水中に送風循環通路１６Ｂの空気送り込み側を開放して臨ませた開放部から、貯水タンク１１のタンク１２内の水中に噴出し、気泡となって上昇する。この上昇する気泡は、排水通路１４の上方を覆う形状の仕切り体１８に衝突して仕切り体１８の下面に滞留し、その殆どは送風循環通路１６Ｂの空気送り込み側を開放して臨ませた開方部上方の排水通路１４から出て行く水流に引っ張られて下水管７へと流れ、生ゴミから発生した臭気成分も空気と一緒に逐次下水と流れる。このため、排水通路１４から排出できる単時間当たりの空気量が増大し、生ゴミ処理容器５内の空気中に含まれる臭いはより早く低減できる。そのため、より臭いの少ない生ゴミ乾燥処理装置となり、生ゴミ処理終了時、生ゴミ処理容器５から乾燥減量したゴミを排出する時も臭いがさらに少なくでき、使用性能向上と設置の自由度が拡大し、換気扇を回すなどが必要なくランニングコストが低下できる。
【００３３】
このように、本実施の形態では、貯水タンクの水と高温の生ゴミ乾燥処理部とを空気循環させその飽和蒸気圧の差で生ゴミを乾燥処理できるとともに、生ゴミの臭いを貯水タンクの水にバブリングにより溶かし、非水溶性の臭いは下水へ排出することができる。したがって、大気への水蒸気放散がなく、白金などの触媒を用いることなく、臭いが抑制でき、かつ省エネルギー化がはかれるものである。
【００３４】
（実施の形態２）
図２は、本発明の実施の形態２における生ゴミ乾燥処理装置を示している。実施の形態１と同一要素については同一符号を付してその説明を省略する。
【００３５】
本実施の形態における生ゴミ乾燥処理装置において、実施の形態１との相違点は、仕切り体１８が排水通路１４の開放部上方および周側を覆い下方のみを開放した壁１８ａを設けた構成としていること、また、排水通路１４途中には、この排水通路１４を開閉する開閉弁２１を設け、適宜時間毎に開閉を繰り返す構成としてあること、さらには、貯水タンク１１には、水道管２２と給水開閉弁２３を介して接続した給水通路２４を接続した構成としてあること、である。なお、開閉弁２１、給水開閉弁２３は、電源制御部１７に電気的に配線しており、ここでこれらの電源を動作させるようになっている。
【００３６】
本実施の形態では、仕切り体１８構成により、送風循環通路１６Ｂの空気送り込み側からタンク１２の水中に入った循環空気は、気泡となって上昇し仕切り体１８の空間２０内に溜まる。空間２０は空気で水が押し出され空気のみとなる。そして、溜まった空気は、排水通路１４から出て行く水流に引っ張られて下水と流れる。このため、排水通路１４の流れは、最初に溜まった空気が流れ、逐次、貯水タンク１１の水を巻き込む流れとできるため、送風循環通路１６Ｂからの空気は洩れなく全て排水通路１４から下水に排出することが可能となり、生ゴミ処理容器５内の空気中に含まれる臭いはより早く低減でき、かつ低濃度にできる。
【００３７】
また、本実施の形態では、排水通路１４を開閉する開閉弁２１を設けた構成により、下水管７への排水量を制限して節水を可能とできる。すなわち、排水通路１４から循環している空気を併せて排出するためにはある程度の流量が必要となる。そのため、常に排水通路１４を開放していると貯水タンク１１の水が大量に下水と流れ、大量の水を補給する必要がある。そこで、開閉弁２１により短時間毎に排水通路１４から排水することにより、循環する空気の排出をしながら節水が可能となり、節水による環境性が向上する。
【００３８】
さらに、本実施の形態では、貯水タンク１１に水道管２２と給水開閉弁２３を介して接続した給水通路２４を接続した構成により、貯水タンク１１の水の温度を常に低温とし、生ゴミの水分処理を確実に行い性能向上が可能となる。すなわち、通常は、生ゴミの水分がタンク１２で凝縮する時に発生する水がタンク１２に逐次溜まるため、貯水タンク１１の水は常に増加し増えすぎた分はオーバーフローで配水管１３より下水へ流れ、貯水タンク１１に水の補給は必要がない。しかし、生ゴミ処理容器５の空気の飽和蒸気圧と貯水タンク１１の飽和蒸気圧との飽和蒸気圧差で生ゴミを乾燥処理できため、生ゴミの乾燥能力は飽和蒸気圧の相関する温度差に影響を受ける。生ゴミ処理容器５の空気を冷却することでタンク１２の温度が上昇すると、生ゴミ処理容器５の空気の飽和蒸気圧と貯水タンク１１の空気の飽和蒸気圧との飽和蒸気圧差が小さくなり、生ゴミの乾燥時間が長くなる。この時、給水開閉弁２３を開けて給水通路２４から給水を行うと、タンク１２には新たな水が入り、貯水タンク１１の水の温度は低下がる。よって、貯水タンク１１の温度を常に低温とし、生ゴミの水分処理を確実に行い性能向上が可能となる。このため、簡単な制御方法で、生ゴミの水分処理の性能維持が可能となる。
【産業上の利用可能性】
【００３９】
以上のように、本発明にかかる生ゴミ乾燥処理装置は、大気への水蒸気放散がなく、白金などの触媒を用いることなく、臭いが抑制でき、かつ省エネルギー化がはかれるので、生ゴミ乾燥処理装置全般に適用できるが、特に、一般住宅の台所における生ゴミ処理に最適である。
【図面の簡単な説明】
【００４０】
【図１】本発明の実施の形態１における生ゴミ乾燥処理装置の断面図
【図２】本発明の実施の形態２における生ゴミ乾燥処理装置の断面図
【符号の説明】
【００４１】
５  生ゴミ処理容器
７  下水管
８  生ゴミ乾燥処理部
１１  貯水タンク
１３  配水管
１４  排水通路
１５  送風手段
１６Ａ、１６Ｂ、１６Ｃ  送風循環通路
１８  仕切り体
２１  開閉弁
２２  水道管
２３  給水開閉弁
２４  給水通路
【図１】
2009028621.tif 000003
【図２】
2009028621.tif 000004